(57)【要約】      （修正有）【課題】リモート接続が切断された場合の利便性を向上することができる電子機器およびリモート接続制御プログラムを提供する。【解決手段】コンピューターとのリモート接続の再開に関する設定を示す再開設定情報を管理し、リモート接続を制御し、リモート接続が継続されている場合に機能を実行する画像形成装置は、指示に応じて再開設定情報を変更し、リモート接続を切断する機能を実行することによってリモート接続が切断された場合、リモート接続を自動で再開することが再開設定情報に設定されているとき（Ｓ７３でＹＥＳまたはＳ７５でＹＥＳ）にリモート接続を自動で再開し（Ｓ７９）、リモート接続を自動で再開しないことが再開設定情報に設定されているとき（Ｓ７２でＮＯ、Ｓ７３でＮＯ、Ｓ７４でＮＯまたはＳ７５でＮＯ）にリモート接続を自動で再開しないことを特徴とする。【選択図】図６
2020035274.tif 000002
【特許請求の範囲】
【請求項１】
外部機器とのリモート接続の再開に関する設定を示す再開設定情報を管理する情報管理手段と、
前記リモート接続を制御する接続制御手段と、
前記リモート接続が継続されている場合に機能を実行する機能実行手段と
を備え、
前記情報管理手段は、指示に応じて前記再開設定情報を変更し、
前記接続制御手段は、前記リモート接続を切断する機能が前記機能実行手段によって実行されることによって前記リモート接続が切断された場合、前記リモート接続を自動で再開することが前記再開設定情報に設定されているときに前記リモート接続を自動で再開し、前記リモート接続を自動で再開しないことが前記再開設定情報に設定されているときに前記リモート接続を自動で再開しないことを特徴とする電子機器。
【請求項２】
前記接続制御手段は、前記リモート接続を切断する機能が前記機能実行手段によって実行されることによって前記リモート接続が切断された場合、前記リモート接続を再開するか否かをユーザーに問い合わせることが前記再開設定情報に設定されているときに、前記リモート接続を再開するか否かをユーザーに問い合わせ、
前記接続制御手段は、前記リモート接続を再開するか否かをユーザーに問い合わせた場合、前記リモート接続を再開することが回答されたときに前記リモート接続を再開し、前記リモート接続を再開しないことが回答されたときに前記リモート接続を再開しないことを特徴とする請求項１に記載の電子機器。
【請求項３】
前記情報管理手段は、前記リモート接続を切断する機能の実行の指示が前記リモート接続を介して入力された場合用の前記再開設定情報と、前記リモート接続を切断する機能の実行の指示が前記リモート接続を介さずに入力された場合用の前記再開設定情報とを別々に管理することを特徴とする請求項１または請求項２に記載の電子機器。
【請求項４】
前記情報管理手段は、前記リモート接続を介して入力された指示に応じて前記再開設定情報を変更しないことを特徴とする請求項１から請求項３までのいずれかに記載の電子機器。
【請求項５】
電子機器によって実行されるプログラムであって、
外部機器とのリモート接続の再開に関する設定を示す再開設定情報を管理する情報管理手段と、
前記リモート接続を制御する接続制御手段と、
前記リモート接続が継続されている場合に機能を実行する機能実行手段と
を前記電子機器に実現させ、
前記情報管理手段は、指示に応じて前記再開設定情報を変更し、
前記接続制御手段は、前記リモート接続を切断する機能が前記機能実行手段によって実行されることによって前記リモート接続が切断された場合、前記リモート接続を自動で再開することが前記再開設定情報に設定されているときに前記リモート接続を自動で再開し、前記リモート接続を自動で再開しないことが前記再開設定情報に設定されているときに前記リモート接続を自動で再開しないことを特徴とするリモート接続制御プログラム。
【発明の詳細な説明】
【技術分野】
【０００１】
本発明は、外部機器とリモート接続する電子機器およびリモート接続制御プログラムに関する。
【背景技術】
【０００２】
従来の電子機器として、端末装置とリモート接続している場合に、端末装置から印刷制御装置の再起動が指示されたとき、印刷制御装置の再起動の完了後に、端末装置とのリモート接続を自動で再開する画像形成装置が知られている（例えば、特許文献１参照。）。
【先行技術文献】
【特許文献】
【０００３】
【特許文献１】特開２０１７−２２７９８９号公報
【発明の概要】
【発明が解決しようとする課題】
【０００４】
しかしながら、従来の画像形成装置においては、端末装置とリモート接続している場合に、端末装置から印刷制御装置の再起動が指示されたとき、印刷制御装置の再起動の完了後に、端末装置とのリモート接続を自動で必ず再開するので、端末装置とのリモート接続を自動で再開することを希望しないユーザーにとって不便であるという問題がある。
【０００５】
そこで、本発明は、リモート接続が切断された場合の利便性を向上することができる電子機器およびリモート接続制御プログラムを提供することを目的とする。
【課題を解決するための手段】
【０００６】
本発明の電子機器は、外部機器とのリモート接続の再開に関する設定を示す再開設定情報を管理する情報管理手段と、前記リモート接続を制御する接続制御手段と、前記リモート接続が継続されている場合に機能を実行する機能実行手段とを備え、前記情報管理手段は、指示に応じて前記再開設定情報を変更し、前記接続制御手段は、前記リモート接続を切断する機能が前記機能実行手段によって実行されることによって前記リモート接続が切断された場合、前記リモート接続を自動で再開することが前記再開設定情報に設定されているときに前記リモート接続を自動で再開し、前記リモート接続を自動で再開しないことが前記再開設定情報に設定されているときに前記リモート接続を自動で再開しないことを特徴とする。
【０００７】
この構成により、本発明の電子機器は、リモート接続を自動で再開するか否かが設定されている再開設定情報を、指示に応じて変更するので、リモート接続が切断された場合の利便性を向上することができる。
【０００８】
本発明の電子機器において、前記接続制御手段は、前記リモート接続を切断する機能が前記機能実行手段によって実行されることによって前記リモート接続が切断された場合、前記リモート接続を再開するか否かをユーザーに問い合わせることが前記再開設定情報に設定されているときに、前記リモート接続を再開するか否かをユーザーに問い合わせ、前記接続制御手段は、前記リモート接続を再開するか否かをユーザーに問い合わせた場合、前記リモート接続を再開することが回答されたときに前記リモート接続を再開し、前記リモート接続を再開しないことが回答されたときに前記リモート接続を再開しなくても良い。
【０００９】
この構成により、本発明の電子機器は、リモート接続を再開するか否かをユーザーに問い合わせることが再開設定情報に設定されている場合に、リモート接続が切断されたとき、リモート接続を再開するか否かの問い合わせに対する回答に応じて、リモート接続を再開し、または、リモート接続を再開しないので、リモート接続が切断された場合の利便性を向上することができる。
【００１０】
本発明の電子機器において、前記情報管理手段は、前記リモート接続を切断する機能の実行の指示が前記リモート接続を介して入力された場合用の前記再開設定情報と、前記リモート接続を切断する機能の実行の指示が前記リモート接続を介さずに入力された場合用の前記再開設定情報とを別々に管理しても良い。
【００１１】
この構成により、本発明の電子機器は、リモート接続を切断する機能の実行の指示が、リモート接続を介してと、リモート接続を介さずにとのいずれで入力されたかに応じてリモート接続の再開の有無を異ならせることができるので、リモート接続が切断された場合の利便性を向上することができる。
【００１２】
本発明の電子機器において、前記情報管理手段は、前記リモート接続を介して入力された指示に応じて前記再開設定情報を変更しなくても良い。
【００１３】
この構成により、本発明の電子機器は、リモート接続を介して入力された指示に応じては再開設定情報を変更せず、リモート接続を介さずに入力された指示に応じて再開設定情報を変更するので、セキュリティーを向上することができる。
【００１４】
本発明のリモート接続制御プログラムは、電子機器によって実行されるプログラムであって、外部機器とのリモート接続の再開に関する設定を示す再開設定情報を管理する情報管理手段と、前記リモート接続を制御する接続制御手段と、前記リモート接続が継続されている場合に機能を実行する機能実行手段とを前記電子機器に実現させ、前記情報管理手段は、指示に応じて前記再開設定情報を変更し、前記接続制御手段は、前記リモート接続を切断する機能が前記機能実行手段によって実行されることによって前記リモート接続が切断された場合、前記リモート接続を自動で再開することが前記再開設定情報に設定されているときに前記リモート接続を自動で再開し、前記リモート接続を自動で再開しないことが前記再開設定情報に設定されているときに前記リモート接続を自動で再開しないことを特徴とする。
【００１５】
この構成により、本発明のリモート接続制御プログラムを実行する電子機器は、リモート接続を自動で再開するか否かが設定されている再開設定情報を、指示に応じて変更するので、リモート接続が切断された場合の利便性を向上することができる。
【発明の効果】
【００１６】
本発明の電子機器およびリモート接続制御プログラムは、リモート接続が切断された場合の利便性を向上することができる。
【図面の簡単な説明】
【００１７】
【図１】本発明の一実施の形態に係るシステムのブロック図である。
【図２】ＭＦＰである場合の図１に示す画像形成装置のブロック図である。
【図３】図２に示す再開設定情報の一例を示す図である。
【図４】図１に示すコンピューターのブロック図である。
【図５】コンピューターとリモート接続が継続されている場合の図２に示す画像形成装置の動作のフローチャートである。
【図６】コンピューターとのリモート接続が切断された直後の図２に示す画像形成装置の動作のフローチャートである。
【図７】コンピューターとのリモート接続が切断された直後の図２に示す画像形成装置の動作の、図６に示す例とは異なる例を示すフローチャートである。
【発明を実施するための形態】
【００１８】
以下、本発明の実施の形態について、図面を用いて説明する。
【００１９】
まず、本発明の一実施の形態に係るシステムの構成について説明する。
【００２０】
図１は、本実施の形態に係るシステム１０のブロック図である。
【００２１】
図１に示すように、システム１０は、電子機器としての画像形成装置２０を備えている。システム１０は、画像形成装置２０以外にも、画像形成装置２０と同様の画像形成装置を少なくとも１つ備えることが可能である。システム１０における画像形成装置は、例えば、ＭＦＰ（Ｍｕｌｔｉｆｕｎｃｔｉｏｎ  Ｐｅｒｉｐｈｅｒａｌ）、プリンター専用機、コピー専用機、ファックス専用機、スキャナー専用機などである。システム１０における画像形成装置は、システム１０における画像形成装置の被提供者側のユーザー（以下「被提供者側ユーザー」という。）によって使用される。
【００２２】
システム１０は、システム１０における画像形成装置にリモート接続する電子機器としてのコンピューター３０を備えている。システム１０は、コンピューター３０以外にも、コンピューター３０と同様のコンピューターを少なくとも１つ備えることが可能である。システム１０におけるコンピューターは、例えば、ＰＣ（Ｐｅｒｓｏｎａｌ  Ｃｏｍｐｕｔｅｒ）などである。システム１０におけるコンピューターは、コールセンターやヘルプデスクなど、システム１０における画像形成装置の提供者側のユーザー（以下「提供者側ユーザー」という。）によって使用される。
【００２３】
システム１０における画像形成装置と、システム１０におけるコンピューターとは、例えばインターネットなどのネットワーク１１を介してリモート接続可能である。
【００２４】
システム１０は、システム１０における画像形成装置と、システム１０におけるコンピューターとがリモート接続している場合に、この画像形成装置と、このコンピューターとの協働によって、リモートガイダンスやリモートメンテナンスという機能を実現することができる。
【００２５】
リモートガイダンスとは、システム１０における画像形成装置の表示部における画面を、システム１０におけるコンピューターの表示部に表示することによって、提供者側ユーザーによる被提供者側ユーザーに対する電話を介した画像形成装置の操作の説明の支援をする機能である。提供者側ユーザーは、リモートガイダンスの機能を利用することによって、システム１０における画像形成装置の表示部における画面を確認することができる。したがって、提供者側ユーザーは、リモートガイダンスの機能を利用することによって、被提供者側ユーザーに対して電話を介して画像形成装置の操作を説明する場合に、被提供者側ユーザーによる画像形成装置の操作を容易に理解することができる。そのため、被提供者側ユーザーも、リモートガイダンスの機能を利用することによって、提供者側ユーザーから電話を介して画像形成装置の操作の説明を受ける場合に、提供者側ユーザーの指示を容易に理解することができる。
【００２６】
リモートメンテナンスとは、システム１０における画像形成装置をシステム１０におけるコンピューターの操作部を介して操作することによって、画像形成装置の調整や保守作業を実行可能にする機能である。提供者側ユーザーは、リモートメンテナンスの機能を利用することによって、システム１０における画像形成装置の設置場所を訪問する必要がなくなり、画像形成装置のメンテナンスのコストを削減することができる。
【００２７】
図２は、ＭＦＰである場合の画像形成装置２０のブロック図である。
【００２８】
図２に示す画像形成装置２０は、種々の操作が入力される例えばボタンなどの操作デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部２６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２７と、画像形成装置２０全体を制御する制御部２８とを備えている。
【００２９】
記憶部２７は、システム１０におけるコンピューターとのリモート接続を制御するためのリモート接続制御プログラム２７ａを記憶可能である。リモート接続制御プログラム２７ａは、例えば、画像形成装置２０の製造段階で画像形成装置２０にインストールされていても良いし、ＵＳＢ（Ｕｎｉｖｅｒｓａｌ  Ｓｅｒｉａｌ  Ｂｕｓ）メモリー、ＳＤカードなどの外部の記憶媒体から画像形成装置２０に追加でインストールされても良いし、ネットワーク上から画像形成装置２０に追加でインストールされても良い。
【００３０】
記憶部２７は、リモート接続を切断する機能を示すリモート接続切断機能リスト２７ｂを記憶している。リモート接続を切断する機能とは、例えば、画像形成装置２０の再起動の機能、画像形成装置２０のネットワーク機能の再起動の機能、画像形成装置２０のＩＰ（Ｉｎｔｅｒｎｅｔ  Ｐｒｏｔｏｃｏｌ）アドレスの変更の機能、画像形成装置２０のネットワーク設定の変更の機能である。
【００３１】
記憶部２７は、システム１０におけるコンピューターとのリモート接続の再開に関する設定を示す再開設定情報２７ｃを記憶している。
【００３２】
図３は、再開設定情報２７ｃの一例を示す図である。
【００３３】
図３に示す再開設定情報２７ｃは、リモート接続を切断する機能の実行の指示がリモート接続を介して入力された場合用の第１の再開設定情報２７ｄと、リモート接続を切断する機能の実行の指示がリモート接続を介さずに入力された場合用の第２の再開設定情報２７ｅとを含んでいる。
【００３４】
第１の再開設定情報２７ｄおよび第２の再開設定情報２７ｅは、それぞれ、リモート接続を再開するか否かを自動で決定するか否かを示す自動決定有無設定と、リモート接続を再開するか否かを自動で決定する場合にリモート接続を再開するか否かを示す再開有無設定とを含んでいる。
【００３５】
再開設定情報２７ｃは、デフォルトでは、第１の再開設定情報２７ｄの自動決定有無設定および第２の再開設定情報２７ｅの自動決定有無設定が「リモート接続を再開するか否かを自動で決定する」であり、第１の再開設定情報２７ｄの再開有無設定および第２の再開設定情報２７ｅの再開有無設定が「リモート接続を再開しない」である。
【００３６】
リモート接続を再開するか否かを自動で決定すると第１の再開設定情報２７ｄの自動決定有無設定において設定されていて、リモート接続を再開すると第１の再開設定情報２７ｄの再開有無設定において設定されているということは、リモート接続を切断する機能がリモート接続を介して入力された指示に応じて実行された場合にリモート接続を自動で再開することが再開設定情報２７ｃに設定されているということである。一方、リモート接続を再開するか否かを自動で決定しないと第１の再開設定情報２７ｄの自動決定有無設定において設定されているということ、または、リモート接続を再開するか否かを自動で決定すると第１の再開設定情報２７ｄの自動決定有無設定において設定されていて、リモート接続を再開しないと第１の再開設定情報２７ｄの再開有無設定において設定されているということは、リモート接続を切断する機能がリモート接続を介して入力された指示に応じて実行された場合にリモート接続を自動で再開しないことが再開設定情報２７ｃに設定されているということである。
【００３７】
リモート接続を再開するか否かを自動で決定すると第２の再開設定情報２７ｅの自動決定有無設定において設定されていて、リモート接続を再開すると第２の再開設定情報２７ｅの再開有無設定において設定されているということは、リモート接続を切断する機能がリモート接続を介さずに入力された指示に応じて実行された場合にリモート接続を自動で再開することが再開設定情報２７ｃに設定されているということである。一方、リモート接続を再開するか否かを自動で決定しないと第２の再開設定情報２７ｅの自動決定有無設定において設定されているということ、または、リモート接続を再開するか否かを自動で決定すると第２の再開設定情報２７ｅの自動決定有無設定において設定されていて、リモート接続を再開しないと第２の再開設定情報２７ｅの再開有無設定において設定されているということは、リモート接続を切断する機能がリモート接続を介さずに入力された指示に応じて実行された場合にリモート接続を自動で再開しないことが再開設定情報２７ｃに設定されているということである。
【００３８】
リモート接続を再開するか否かを自動で決定しないと第１の再開設定情報２７ｄの自動決定有無設定において設定されているということは、リモート接続を切断する機能がリモート接続を介して入力された指示に応じて実行された場合にリモート接続を再開するか否かをユーザーに問い合わせることが再開設定情報２７ｃに設定されているということである。また、リモート接続を再開するか否かを自動で決定しないと第２の再開設定情報２７ｅの自動決定有無設定において設定されているということは、リモート接続を切断する機能がリモート接続を介さずに入力された指示に応じて実行された場合にリモート接続を再開するか否かをユーザーに問い合わせることが再開設定情報２７ｃに設定されているということである。
【００３９】
図２に示す制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部２８のＣＰＵの作業領域として用いられるメモリーとしてのＲＡＭ（Ｒａｎｄｏｍ  Ａｃｃｅｓｓ  Ｍｅｍｏｒｙ）とを備えている。制御部２８のＣＰＵは、記憶部２７または制御部２８のＲＯＭに記憶されているプログラムを実行する。
【００４０】
制御部２８は、リモート接続制御プログラム２７ａを実行することによって、再開設定情報２７ｃを管理する情報管理手段２８ａと、システム１０におけるコンピューターとのリモート接続を制御する接続制御手段２８ｂと、システム１０におけるコンピューターとのリモート接続が継続されている場合に機能を実行する機能実行手段２８ｃとを実現する。
【００４１】
図４は、コンピューター３０のブロック図である。
【００４２】
図４に示すように、コンピューター３０は、種々の操作が入力される例えばキーボード、マウスなどの操作デバイスである操作部３１と、種々の情報を表示する例えばＬＣＤなどの表示デバイスである表示部３２と、ＬＡＮ、インターネットなどのネットワーク経由で、または、ネットワークを介さずに有線または無線によって直接に、外部の装置と通信を行う通信デバイスである通信部３３と、各種の情報を記憶する例えば半導体メモリー、ＨＤＤなどの不揮発性の記憶デバイスである記憶部３４と、コンピューター３０全体を制御する制御部３５とを備えている。
【００４３】
制御部３５は、例えば、ＣＰＵと、プログラムおよび各種のデータを記憶しているＲＯＭと、制御部３５のＣＰＵの作業領域として用いられるメモリーとしてのＲＡＭとを備えている。制御部３５のＣＰＵは、記憶部３４または制御部３５のＲＯＭに記憶されているプログラムを実行する。
【００４４】
次に、システム１０の動作について説明する。
【００４５】
まず、リモート接続切断機能リスト２７ｂを変更する場合の画像形成装置２０の動作について説明する。
【００４６】
画像形成装置２０の情報管理手段２８ａは、リモート接続切断機能リスト２７ｂを変更する指示が操作部２１または通信部２６を介して入力されると、入力された指示に応じてリモート接続切断機能リスト２７ｂを変更する。
【００４７】
次に、再開設定情報２７ｃを変更する場合の画像形成装置２０の動作について説明する。
【００４８】
画像形成装置２０の情報管理手段２８ａは、再開設定情報２７ｃを変更する指示が操作部２１を介して入力されると、入力された指示に応じて再開設定情報２７ｃを変更する。なお、情報管理手段２８ａは、リモート接続を介して入力された指示に応じては再開設定情報２７ｃを変更しない。
【００４９】
次に、操作部２１を介して入力された指示に応じてコンピューター３０とのリモート接続を開始する場合の画像形成装置２０の動作について説明する。
【００５０】
画像形成装置２０の接続制御手段２８ｂは、コンピューター３０とのリモート接続を開始する指示が操作部２１を介して入力されると、コンピューター３０とのリモート接続を開始する。
【００５１】
次に、コンピューター３０とのリモート接続が継続されている場合の画像形成装置２０の動作について説明する。
【００５２】
図５は、コンピューター３０とリモート接続が継続されている場合の画像形成装置２０の動作のフローチャートである。
【００５３】
図５に示すように、画像形成装置２０の機能実行手段２８ｃは、何らかの機能の実行が要求されたと判断するまで、何らかの機能の実行が要求されたか否かを判断する（Ｓ５１）。ここで、機能とは、例えば、画像形成装置２０の再起動の機能、画像形成装置２０のネットワーク機能の再起動の機能、画像形成装置２０のＩＰアドレスの変更の機能、画像形成装置２０のネットワーク設定の変更の機能、画像形成装置２０のプリンター２４のドラムのクリーニングなどの、画像形成装置２０の調整の機能などである。
【００５４】
機能実行手段２８ｃは、何らかの機能の実行が要求されたとＳ５１において判断すると、実行が要求されたとＳ５１において判断した機能がリモート接続を切断する機能であるか否かを判断する（Ｓ５２）。ここで、機能実行手段２８ｃは、実行が要求されたとＳ５１において判断した機能がリモート接続切断機能リスト２７ｂに示されている場合に、実行が要求されたとＳ５１において判断した機能がリモート接続を切断する機能であると判断し、実行が要求されたとＳ５１において判断した機能がリモート接続切断機能リスト２７ｂに示されていない場合に、実行が要求されたとＳ５１において判断した機能がリモート接続を切断する機能ではないと判断する。
【００５５】
機能実行手段２８ｃは、実行が要求されたとＳ５１において判断した機能がリモート接続を切断する機能ではないとＳ５２において判断すると、実行が要求されたとＳ５１において判断した機能、すなわち、リモート接続を切断しない機能を実行して（Ｓ５３）、Ｓ５１の処理を実行する。
【００５６】
機能実行手段２８ｃは、実行が要求されたとＳ５１において判断した機能がリモート接続を切断する機能であるとＳ５２において判断すると、実行が要求されたとＳ５１において判断した機能、すなわち、リモート接続を切断する機能を実行して（Ｓ５４）、図５に示す動作を終了する。
【００５７】
機能実行手段２８ｃがリモート接続を切断する機能を実行すると、画像形成装置２０と、コンピューター３０とのリモート接続が切断される。
【００５８】
次に、リモート接続を切断する機能の実行によってコンピューター３０とのリモート接続が切断された直後の画像形成装置２０の動作について説明する。
【００５９】
図６は、リモート接続を切断する機能の実行によってコンピューター３０とのリモート接続が切断された直後の画像形成装置２０の動作のフローチャートである。
【００６０】
図６に示すように、画像形成装置２０の接続制御手段２８ｂは、実行が要求されたと最新のＳ５１において判断した機能が、リモート接続を介して入力された指示に応じて実行されたか否かを判断する（Ｓ７１）。
【００６１】
接続制御手段２８ｂは、実行が要求されたと最新のＳ５１において判断した機能がリモート接続を介して入力された指示に応じて実行されたとＳ７１において判断すると、リモート接続を再開するか否かを自動で決定するか否かを第１の再開設定情報２７ｄの自動決定有無設定に基づいて判断する（Ｓ７２）。
【００６２】
接続制御手段２８ｂは、リモート接続を再開するか否かを自動で決定するとＳ７２において判断すると、リモート接続を再開するか否かを第１の再開設定情報２７ｄの再開有無設定に基づいて判断する（Ｓ７３）。
【００６３】
接続制御手段２８ｂは、実行が要求されたと最新のＳ５１において判断した機能がリモート接続を介さずに入力された指示に応じて実行されたとＳ７１において判断すると、リモート接続を再開するか否かを自動で決定するか否かを第２の再開設定情報２７ｅの自動決定有無設定に基づいて判断する（Ｓ７４）。
【００６４】
接続制御手段２８ｂは、リモート接続を再開するか否かを自動で決定するとＳ７４において判断すると、リモート接続を再開するか否かを第２の再開設定情報２７ｅの再開有無設定に基づいて判断する（Ｓ７５）。
【００６５】
接続制御手段２８ｂは、リモート接続を再開するか否かを自動で決定しないとＳ７２またはＳ７４において判断すると、リモート接続を再開するか否かをユーザーに問い合わせるための再開有無問い合わせ画面を表示部２２に表示する（Ｓ７６）。再開有無問い合わせ画面は、リモート接続を再開するか否かの回答を操作部２１を介して受け付けることが可能な画面である。
【００６６】
接続制御手段２８ｂは、Ｓ７６の処理の後、リモート接続を再開するか否かが再開有無問い合わせ画面において回答されたと判断するまで、リモート接続を再開するか否かが再開有無問い合わせ画面において回答されたか否かを判断する（Ｓ７７）。
【００６７】
接続制御手段２８ｂは、リモート接続を再開するか否かが再開有無問い合わせ画面において回答されたとＳ７７において判断すると、リモート接続を再開することが再開有無問い合わせ画面において回答されたか否かを判断する（Ｓ７８）。
【００６８】
接続制御手段２８ｂは、リモート接続を再開するとＳ７３またはＳ７５において判断するか、リモート接続を再開することが再開有無問い合わせ画面において回答されたとＳ７８において判断すると、コンピューター３０とのリモート接続を再開する（Ｓ７９）。
【００６９】
接続制御手段２８ｂは、リモート接続を再開しないとＳ７３またはＳ７５において判断するか、リモート接続を再開することが再開有無問い合わせ画面において回答されていないとＳ７８において判断するか、Ｓ７９の処理を実行すると、図６に示す動作を終了する。
【００７０】
以上に説明したように、画像形成装置２０は、リモート接続を自動で再開するか否かが設定されている再開設定情報２７ｃを、操作部２１を介して入力された指示に応じて変更するので、リモート接続が切断された場合の利便性を向上することができる。
【００７１】
画像形成装置２０は、リモート接続を再開するか否かをユーザーに問い合わせることが再開設定情報２７ｃに設定されている場合に、リモート接続が切断されたとき、リモート接続を再開するか否かの問い合わせに対する回答に応じて、リモート接続を再開し（Ｓ７９）、または、リモート接続を再開しない（Ｓ７８でＮＯ）ので、リモート接続が切断された場合の利便性を向上することができる。
【００７２】
画像形成装置２０は、リモート接続を切断する機能の実行の指示がリモート接続を介して入力された場合用の第１の再開設定情報２７ｄと、リモート接続を切断する機能の実行の指示がリモート接続を介さずに入力された場合用の第２の再開設定情報２７ｅとを別々に管理しており、リモート接続を切断する機能の実行の指示が、リモート接続を介してと、リモート接続を介さずにとのいずれで入力されたかに応じてリモート接続の再開の有無を異ならせることができる（Ｓ７１〜Ｓ７９）ので、リモート接続が切断された場合の利便性を向上することができる。
【００７３】
例えば、画像形成装置２０は、リモート接続を切断する機能が実行されることによってリモート接続が切断された場合に、この機能の実行の指示が被提供者側ユーザーによって操作部２１を介して入力された、すなわち、リモート接続を介さずに入力されたとき、リモート接続を自動で再開するように再開設定情報２７ｃに設定されていれば、リモート接続を自動で再開し、その結果、リモート接続を再開する手間を省くことができるので、この機能の実行の指示の入力者ではない提供者側ユーザー、すなわち、リモート接続を継続することを希望する可能性があるユーザーの利便性を向上することができる。
【００７４】
例えば、画像形成装置２０は、リモート接続を切断する機能が実行されることによってリモート接続が切断された場合に、この機能の実行の指示が被提供者側ユーザーによって操作部２１を介して入力された、すなわち、リモート接続を介さずに入力されたとき、リモート接続を自動で再開しないように再開設定情報２７ｃに設定されていれば、リモート接続を自動では再開せず、その結果、リモート接続の自動での再開後にリモート接続を再度切断する手間を省くことができるので、この機能の実行の指示の入力者である被提供者側ユーザー、すなわち、リモート接続を継続することを希望しない可能性があるユーザーの利便性を向上することができる。
【００７５】
例えば、画像形成装置２０は、リモート接続を切断する機能が実行されることによってリモート接続が切断された場合に、この機能の実行の指示が提供者側ユーザーによってリモート接続を介して入力されたとき、リモート接続を自動で再開しないように再開設定情報２７ｃに設定されていれば、リモート接続を自動では再開せず、その結果、リモート接続の自動での再開後にリモート接続を再度切断する手間を省くことができるので、この機能の実行の指示の入力者である提供者側ユーザー、すなわち、リモート接続を継続することを希望しない可能性があるユーザーの利便性を向上することができる。
【００７６】
なお、画像形成装置２０は、図６に示す動作に代えて、図７に示す動作を実行しても良い。図７に示す動作において、接続制御手段２８ｂは、実行が要求されたと最新のＳ５１において判断した機能がリモート接続を介さずに入力された指示に応じて実行されたとＳ７１において判断すると、必ず、コンピューター３０とのリモート接続を再開する（Ｓ７９）。
【００７７】
画像形成装置２０は、リモート接続を介して入力された指示に応じては再開設定情報２７ｃを変更せず、操作部２１を介して入力された指示、すなわち、リモート接続を介さずに入力された指示に応じて再開設定情報２７ｃを変更するので、セキュリティーを向上することができる。なお、画像形成装置２０は、リモート接続を介して入力された指示に応じて再開設定情報２７ｃを変更しても良い。
【００７８】
本発明の電子機器は、本実施の形態において画像形成装置であるが、ＰＣ（Ｐｅｒｓｏｎａｌ  Ｃｏｍｐｕｔｅｒ）など、画像形成装置以外の電子機器でも良い。
【符号の説明】
【００７９】
２０  画像形成装置（電子機器）
２７ａ  リモート接続制御プログラム
２７ｃ  再開設定情報
２７ｄ  第１の再開設定情報
２７ｅ  第２の再開設定情報
２８ａ  情報管理手段
２８ｂ  接続制御手段
２８ｃ  機能実行手段
３０  コンピューター（外部機器）
【図１】
2020035274.tif 000003
【図２】
2020035274.tif 000004
【図３】
2020035274.tif 000005
【図４】
2020035274.tif 000006
【図５】
2020035274.tif 000007
【図６】
2020035274.tif 000008
【図７】
2020035274.tif 000009